(57)【要約】      （修正有）【課題】学童机やデスクに適用できるハンキング機能を有するパネルを提供する。【解決手段】パネル１の横幅２がセットする学童机またはデスク１０の天板幅１２と同一寸法のものからなり、パネル１の上半部正面には、ハンキングレール３を横に布設した。パネルの奥行がセットする学童机またはデスクの天板奥行と同一寸法のものからなり、パネルの上半部手前やパネルの下半部向側には、棚やハンキング機能を布設した。【選択図】図２
0003154228.tif 000002
【実用新案登録請求の範囲】
【請求項１】
パネルの横幅がセットする学童机またはデスクの天板幅と同一寸法のものからなり、パネルの上半部正面には、ハンキングレールを横に布設したことを特徴とするハンキング機能を有するパネル。
【請求項２】
パネルの奥行がセットする学童机またはデスクの天板奥行と同一寸法のものからなり、パネルの上半部手前やパネルの下半部向側には、棚やハンキング機能を布設したことを特徴とするハンキング機能を有するパネル。
【請求項３】
パネルを、学童机またはデスクの正面にセットした請求項１記載のハンキング機能を有するパネル。
【請求項４】
パネルを、学童机またはデスクの側面にセットした請求項２記載のハンキング機能を有するパネル。
【請求項５】
天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を前記天板の何れかの端側に回転軸にて枢着し、前記補助天板の他端を前記収納ボックス上の固定軸にて枢着・支持し、前記補助天板を回転させて両天板にて天板面積を拡張させるようにした請求項１ないし4のいずれかに記載のハンキング機能を有するパネル。
【請求項６】
天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を前記天板の何れかの端側に回転軸にて枢着し、前記補助天板の他端を該補助天板の脚部で支持しうるようにして、上記補助天板を回転させ、両天板にて天板面積を拡張させるようにした請求項１ないし4のいずれかに記載のハンキング機能を有するパネル。
【考案の詳細な説明】
【技術分野】
【０００１】
本考案は、ハンキング機能を有するパネルに係るものであり、さらに詳しくは、学童机やデスクと一体または単体で販売されるレールハンキング機能を有するパネルに関するものである。
【背景技術】
【０００２】
机に、小物を吊り下げたり、物を引っ掛けたり、棚に小物を収める機能を増加したいという要求は多いが、現在の学童机やデスクでは、このような要求に十分答えることができない。
【０００３】
物を吊り下げたり、引っ掛けたりするハンキング機能を有するものとしては、例えば特許文献１、特許文献２の先行技術がある。ただし、特許文献１は、間仕切りパネルに関するものであり、特許文献２は、物品懸垂用のスタンドに関するものであった。
【特許文献１】特開２００５−９７９５９号公報
【特許文献２】実開平６−３３５６２号公報
【０００４】
しかし何れも、学童机やデスクに適用できるものではなかった。
【考案の開示】
【考案が解決しようとする課題】
【０００５】
上記の事情に鑑み本考案は、学童机やデスクに適用できるハンキング機能を有するパネルの提供を課題とする。
【課題を解決するための手段】
【０００６】
本考案は上記目的を達成するために、パネルの横幅がセットする学童机またはデスクの天板幅と同一寸法のものからなり、パネルの上半部正面には、ハンキングレールを横に布設したハンキング機能を有するパネルを構成するものである。
【０００７】
また本考案は上記目的を達成するために、パネルの奥行がセットする学童机またはデスクの天板奥行と同一寸法のものからなり、パネルの上半部手前やパネルの下半部向側には、棚やハンキング機能を布設したハンキング機能を有するパネルを構成するものである。
【考案の効果】
【０００８】
本考案のハンキング機能を有するパネルは、学童机やデスクの周りで、小物の部品をより多く、吊り下げたり、引っ掛けたり、収納することができる。
【０００９】
本考案のハンキング機能を有するパネルは、学童机やデスクと一体のセットにして、活用することができる。
【００１０】
本考案のハンキング機能を有するパネルは、既製品の棚や本棚を利用することができる。
【考案を実施するための最良の形態】
【００１１】
以下、本考案の実施例を図面に基づいて詳しく説明する。
【実施例１】
【００１２】
図１は、本考案の一実施例を示すハンキング機能を有するパネルの斜視図である。図２は、同ハンキング機能を有するパネルをデスクと一体のセットにした状態を示す斜視図である。
【００１３】
本実施例のハンキング機能を有するパネル１は、デスク１０と一体にすることができる。パネル１の横幅２は、デスク１０の天板幅１２と同一寸法のものからなっている。従ってパネル１は、デスク１０と壁等との間で、寄り掛かって配置することができる。
【００１４】
パネル１は、上半部（パネルとセットする時には、天板より上の部分）の正面には、ハンキングレール３を数本、横に布設しており、これによってハンキング機能を有するものとなっている。ハンキングレール３には、フック４ａや書籍棚４ｂや棚４ｃ等が掛止されている。
【実施例２】
【００１５】
図３は、本考案の別の実施例を示すハンキング機能を有するパネルで、（イ）は正面図、（ロ）は背面図、（ハ）は（イ）をＩ〜Ｉ´線で切断した断面図である。図４は、同ハンキング機能を有するパネルをデスクと一体のセットにした状態を示す斜視図である。
【００１６】
本実施例のハンキング機能を有するパネル１０１は、デスク１１０と一体にすることができる。パネル１０１の奥行１０２は、デスク１１０の天板奥行１１２と同一寸法のものからなっている。従ってパネル１０１は、デスク１１０の真横に配置することができる。
【００１７】
パネル１０１は、上半部（パネルとセットする時には、天板より上の部分）の手前や、パネルの下半部向側には、棚１０４やハンキング機能を布設１０３している。
【実施例３】
【００１８】
図４は、ハンキング機能を有するパネルをデスクと一体のセットにした拡張テーブルを有する別の実施例を示す斜視図である。
本実施例の拡張テーブル１０は、天板１２と同天板の幅方向両端下部に連結した両脚部１３ａ，１３ｂと天板下部に収納した収納ボックス１４とからなっている。そして天板１２の下面には、天板の幅Ｌ以内の長さの補助天板１５を設けている。
【００１９】
この補助天板１５は、一端を天板の何れかの端側、本実施例の場合は天板２下面の右端側で、回転軸５１に枢着している。具体的には、図５に示すように、補助天板１５の回転軸５１が、天板１２下面の軸穴２２内に枢着している。そのため、補助天板１５の一端は、円弧状５４に形成して、回転に支障のないようにしている。そして、補助天板１５の他端は、図６に示すように、収納ボックス１４上の固定軸４１に枢着している。具体的には、収納ボックス１４上の固定軸４１が、補助天板１５下面の軸穴５２内に枢着している。
【００２０】
収納ボックス１４の下端には、車輪４５が設置されているので回転し、補助天板１５の他端を支持させることができる。このようにして、天板１２の他に、手前に引き出した補助天板１５によって、天板面積を必要に応じて拡張させることができる。
【実施例４】
【００２１】
図７は、ハンキング機能を有するパネルをデスクと一体のセットにした拡張テーブルを有する更に別の実施例を示す斜視図である。
本実施例の拡張テーブル２１０は、天板２０２と同天板の幅方向両端下部に連結した両脚部２０３ａ，２０３ｂと天板下部に収納した収納ボックス２０４とからなっている。そして天板２０２の下面には、天板の幅Ｌ´以内の長さの補助天板２０５を設けている。
【００２２】
この補助天板２０５は、一端を天板幅Ｌ´の何れかの端側、本実施例の場合は左端側で、図8に示すように、回転軸１５１に枢着している。具体的には、補助天板１０５の回転軸１５１が、天板２０２下面の軸穴１２２内に枢着している。そのため、補助天板２０５の一端は、円弧状１５４にして、回転に支障のないようにしている。そして、本実施例の補助天板２０５は、他端の下部に脚部１５３を有するので、この脚部１５３で補助天板２０５の他端を支持することになる。  
【００２３】
このようにして、天板２０２の他に、手前に引き出した補助天板１０５によって、天板面積を必要に応じて拡張させることができる。また収納ボックス１０４は、使いやすい任意の位置の向きに置けば良い。
【産業上の利用可能性】
【００２４】
本考案のハンキング機能を有するパネルは、学童机やデスクとオプションで、また単体で広く利用することができる。
【図面の簡単な説明】
【００２５】
【図１】本考案の一実施例を示すハンキング機能を有するパネルの斜視図である。
【図２】同ハンキング機能を有するパネルをデスクと一体のセットにした状態を示す斜視図である。
【図３】本考案の別の実施例を示すハンキング機能を有するパネルで、（イ）は正面図、（ロ）は背面図、（ハ）は（イ）をＩ〜Ｉ´線で切断した断面図である。
【図４】本考案の別の実施例を示すハンキング機能を有するパネルの斜視図である。
【図５】図４のテーブルを上から見たもので、（イ）は閉じた状態を示す平面図、（ロ）は拡張した状態を示す平面図である。
【図６】本実施例の拡張テーブルに使用される収納ボックスの正面図である。
【図７】本考案の更に他の実施例を示すハンキング機能を有するパネルの斜視図である。
【図８】図６のテーブルを上から見たもので、（イ）は閉じた状態を示す平面図、（ロ）は拡張した状態を示す平面図である。
【図９】この実施例の拡張テーブルに使用される収納ボックスの正面図である。
【符号の説明】
【００２６】
１，１０１          ハンキング機能を有するパネル  
２                  パネルの横幅  
１０２              パネルの奥行
３，１０３          ハンキング機能
４ａ，４ｂ，４ｃ    ハンキングレールに掛止さレールもの
１０４              棚
１０，１１０        デスク
１２                デスクの天板幅
１１２              デスクの天板奥行
【図１】
0003154228.tif 000003
【図２】
0003154228.tif 000004
【図３】
0003154228.tif 000005
【図４】
0003154228.tif 000006
【図５】
0003154228.tif 000007
【図６】
0003154228.tif 000008
【図７】
0003154228.tif 000009
【図８】
0003154228.tif 000010
【図９】
0003154228.tif 000011